(57)【要約】      （修正有）【課題】スライド操作における過度な引張力で貫通孔から脱去されてしまうのを防止し、また、スライド操作性を向上させることのできるスライドファスナ用引手補助具を提供する。【解決手段】スライドファスナ用引手補助具は、スライドファスナのスライダＳに取付けられている引手Ｐに設けられた貫通孔を介して表と裏から挟み込むように取付けられる一対のカバー部１Ａ，１Ｂを備え、一対のカバー部１Ａ，１Ｂには、引手Ｐの貫通孔以外の外側位置でカバー部１Ａ，１Ｂ同士を接続固定させるための支持嵌合部５を一箇所もしくは二箇所以上設けてなることを特徴とする。【選択図】図１
0003208954.tif 000002
【実用新案登録請求の範囲】
【請求項１】
スライドファスナＦのスライダＳに取付けられている引手Ｐに設けられた貫通孔Ｈを介して表と裏から挟み込むように取付けられる一対のカバー部１Ａ，１Ｂを備えてなるスライドファスナ用引手補助具であって、一対のカバー部１Ａ，１Ｂには、引手Ｐの貫通孔Ｈ以外の外側位置でカバー部１Ａ，１Ｂ同士を接続固定させるための支持嵌合部５を一箇所もしくは二箇所以上設けてなることを特徴とするスライドファスナ用引手補助具。
【請求項２】
一対のカバー部１Ａ，１Ｂは、引手Ｐの貫通孔Ｈを介して表と裏から挟み込むよう一方のカバー部１Ａに、引手Ｐの厚み幅分に対応した深さの段差平面部２と、引手Ｐの貫通孔Ｈに対向させるための段差平面部２の略中央に突設された係合孔部３とを備え、他方のカバー部１Ｂに、一方のカバー部１Ａの係合孔部３に遊挿させるための係合突起４を備えてなる請求項１記載のスライドファスナ用引手補助具。
【請求項３】
支持嵌合部５は、一方のカバー部１Ａに形成されたネジ穴部６と、このネジ穴部６に対向すべく他方のカバー部１Ｂに穿設された挿入孔部７と、挿入孔部７を通してネジ穴部６にねじ込むためのネジ部材８を備えてなる請求項１または２に記載のスライドファスナ用引手補助具。
【請求項４】
支持嵌合部５は、一方のカバー部１Ａに形成された一対の嵌合穴部９Ａ，９Ｂに、これら一対の嵌合穴部９Ａ，９Ｂに対向すべく他方のカバー部１Ｂに立設された一対の嵌合突起１０Ａ，１０Ｂを嵌合可能にしてなる請求項１または２に記載のスライドファスナ用引手補助具。
【請求項５】
一対の嵌合突起１０Ａ，１０Ｂの間には、マグネット１１を付設し、一対の嵌合穴部９Ａ，９Ｂの間には、マグネット１１を磁着させるための金属片１２を付設してなる請求項４に記載のスライドファスナ用引手補助具。
【請求項６】
支持嵌合部５は、一方のカバー部１Ａに穿設されたパッチン止め用の段差状嵌合穴部１３に、嵌合穴部１３に対向すべく他方のカバー部１Ｂに立設されたパッチン止め用の半割嵌合突起１４Ａ，１４Ｂを嵌合可能にしてなる請求項１または２に記載のスライドファスナ用引手補助具。
【請求項７】
一対のカバー部１Ａ，１Ｂは、引手Ｐよりも広幅な円板状に形成されてなる請求項１乃至５のいずれかに記載のスライドファスナ用引手補助具。
【請求項８】
一対のカバー部１Ａ，１Ｂは、引手Ｐよりも広幅な長円板状に形成され、それらの外方端部には、略半月開口状の取っ手部１５Ａ，１５Ｂが各形成されてなる請求項１乃至６のいずれかに記載のスライドファスナ用引手補助具。
【請求項９】
一対のカバー部１Ａ，１Ｂは、引手Ｐよりも広幅な円板状に形成され、その外方端部には、略Ｕ字形アーム状の引っ張り部１６を取付けてなる請求項１乃至６のいずれかに記載のスライドファスナ用引手補助具。
【請求項１０】
一対のカバー部１Ａ，１Ｂは、前記貫通孔Ｈを介して表と裏から挟み込むようにして装着された際には、引手Ｐに対し所定のキャラクター形状となって取付けられるものとした請求項１乃至９のいずれかに記載のスライドファスナ用引手補助具。
【請求項１１】
引手Ｐの貫通孔Ｈが前記係合突起４よりも大きいときに、貫通孔Ｈと係合突起４との間に配置されるよう貫通孔Ｈの孔幅に対応した外径を有する所定の補助リング１７を備えた請求項１乃至１０のいずれかに記載のスライドファスナ用引手補助具。
【考案の詳細な説明】
【技術分野】
【０００１】
本考案は、例えば、衣服や鞄等のスライドファスナを開閉するためのスライダに取付けられた引手の掴み操作性を良好にするための、スライドファスナ用引手補助具に関するものである。
【背景技術】
【０００２】
一般的に、スライドファスナのスライダには、開閉操作のために手指で掴む小片板状の引手が取付けられている。この引手には貫通孔が設けられ、そこには、例えば、キーホルダ等が取付けられるようになっている。
【０００３】
ただ、スライダに取付けられている引手は、キーホルダ等が取付けられている以外は、手指で掴むにはあまりにも小さ過ぎるため、近年においては、掴み易いようにするために、この引手に補助具を連結させることで、スライドファスナの開閉を容易なものとしている。
【０００４】
一方、従来の引手補助具としては、例えば、特許文献１に示すように、面ファスナを裁断して延長部材を切り抜き、これを引手の貫通孔に通してから折り曲げて雄雌ファスナ面同士を接合させる構造が開示されている。
【０００５】
また、特許文献２に示すように、補助具本体の一側縁平面に凹所を形成し、その底面中央に掛爪を突設し、補助具本体の一側側面から凹所へ向けて、スライドファスナの引手の横幅に対応させた横穴を貫通させ、さらに凹所の中間高さ位置から水平に張り出した引手押えを形成してなり、この横穴に引手を挿入した際に、引手の貫通孔に前記掛爪が掛架され且つ前記引手押えで引手の平面を押え込む構造が開示されている。
【０００６】
さらに、特許文献３に示すように、引手の一面をファスナ操作用アダプタの係合用ガイド面で、引手の他面をガイド面でそれぞれ案内することにより、引手の一面に設けられた凸部が係合用ガイド面に形成された弾性片部の開口部に嵌まり込んだ状態となって、ファスナ操作用アダプタと引手とは一体となり、また、ファスナ操作用アダプタを取り外すときには、弾性片部自体の弾性に抗して端部を外側に持ち上げることにより、凸部と開口部との係合を外してファスナ操作用アダプタと引手とを引き離す構造が開示されている。
【先行技術文献】
【特許文献】
【０００７】
【特許文献１】特開２０００−３４２３０８号公報
【特許文献２】実開昭５５−７４４１２号公報
【特許文献３】実開平５−９３２２３号公報
【考案の概要】
【考案が解決しようとする課題】
【０００８】
しかしながら、従来のように、スライダに取付けられている既製の引手は、手指で掴むには小さ過ぎて、ファスナの開閉操作が非常に困難である。
【０００９】
因みに、障害者や加齢等により、指先が不自由であったり、握力や掴む力が弱かったり、或いは、手袋を着用して指先の器用さが損なわれていたりすると、引手を掴み操作することが甚だ困難なものとなる。
【００１０】
また、上記した特許文献１の場合、引手補助具は、面ファスナが引手の貫通孔に通され折り曲げて雄雌ファスナ面同士を接合させるというように、引手の貫通孔位置で一点支持によって構成されているので、引手補助具を介しての繰り返し開閉操作によって、引手の貫通孔の一点箇所において、面ファスナ自体が容易に引き千切れてしまう虞がある。
【００１１】
しかも、面ファスナの雄雌ファスナ面同士を接合させている折り曲げ面同士が繰り返し開閉操作によってずれてしまう虞もある。また、引手補助具は、幅の狭い帯板状に形成されているため、手指で掴むには小さ過ぎて、ファスナの開閉操作が非常に困難である。
【００１２】
この他、上記した特許文献２の場合、横穴に引手を挿入した際に、引手の貫通孔に掛爪が掛架され且つ引手押えで引手の平面を押え込むというように、引手の貫通孔位置で一点支持によって構成されているので、補助具本体を介しての繰り返し開閉操作によって、補助具本体は引手から簡単に引き抜かれてしまう虞がある。
【００１３】
しかも、補助具本体は引手の平面に平行な横方向へのスウィング揺動が不可能となっていることから、手指で掴む圧力を横方向に逃がすことができず、スライド操作性がかなり低下するものとなる。
【００１４】
また、上記した特許文献３の場合、引手の凸部が、ファスナ操作用アダプタの係合用ガイド面の弾性片部の開口部に嵌まり込んで一点支持となって固定されるように構成されているので、ファスナ操作用アダプタを介しての繰り返し開閉操作によって、ファスナ操作用アダプタは引手から簡単に引き抜かれてしまう虞がある。
【００１５】
しかも、ファスナ操作用アダプタは引手の平面に平行な横方向へのスウィング揺動が不可能となっていることから、手指で掴む圧力を横方向に逃がすことができず、スライド操作性がかなり低下するものとなる。
【００１６】
そこで、本考案は如上のような従来存した諸事情に鑑み創出されたもので、形状や大きさ等に制限を設けなくてもスライドファスナのスライダに取付けられている引手に設けられた貫通孔を介して表と裏から挟み込むようにして容易に取付けることができると同時に、取付け後にはスライド操作における過度な引張力で貫通孔から脱去されてしまう事態の発生を確実に防止でき、また、取付け後のスライド操作時において手指で掴む圧力を横方向に逃がすことでスライド操作性を向上させた、スライドファスナ用引手補助具を提供することを目的とする。
【課題を解決するための手段】
【００１７】
本考案に係る請求項１の考案は、スライドファスナＦのスライダＳに取付けられている引手Ｐに設けられた貫通孔Ｈを介して表と裏から挟み込むように取付けられる一対のカバー部１Ａ，１Ｂを備えてなるスライドファスナ用引手補助具であって、一対のカバー部１Ａ，１Ｂには、引手Ｐの貫通孔Ｈ以外の外側位置でカバー部１Ａ，１Ｂ同士を接続固定させるための支持嵌合部５を一箇所もしくは二箇所以上設けてなることで、上述した課題を解決した。
【００１８】
この請求項１に係るスライドファスナ用引手補助具によれば、一対のカバー部１Ａ，１Ｂは、引手Ｐの貫通孔Ｈ側への例えば揺動自在となす取付け位置と、引手Ｐの貫通孔Ｈ以外の外側位置の一箇所もしくは二箇所以上の支持嵌合部５とにより、二点支持もしくは三点支持以上となって接続固定されることから、引手Ｐへの一対のカバー部１Ａ，１Ｂの取付け後にはスライド操作における過度な引張力で貫通孔から脱去されてしまうのを確実に防止できると同時に、スライダＳの引手Ｐによるスライド操作性を向上させることができる。
【００１９】
また、一対のカバー部１Ａ，１Ｂは、引手Ｐに設けられた貫通孔Ｈを介して表と裏から挟み込むように揺動自在となって取付けることができ、スライド操作時において一対のカバー部１Ａ，１Ｂを手指で掴む圧力を横方向に逃がすことができ、これによってスライド操作性を向上させることができる。
【００２０】
本考案に係る請求項２の考案は、一対のカバー部１Ａ，１Ｂは、引手Ｐの貫通孔Ｈを介して表と裏から挟み込むよう一方のカバー部１Ａに、引手Ｐの厚み幅分に対応した深さの段差平面部２と、引手Ｐの貫通孔Ｈに対向させるための段差平面部２の略中央に突設された係合孔部３とを備え、他方のカバー部１Ｂに、一方のカバー部１Ａの係合孔部３に遊挿させるための係合突起４を備えてなることで、同じく、上述した課題を解決した。
【００２１】
この請求項２に係るスライドファスナ用引手補助具によれば、一対のカバー部１Ａ，１Ｂは、引手Ｐに設けられた貫通孔Ｈを介して表と裏から挟み込むように係合突起４が係合孔部３に遊挿させることで揺動自在となって取付けられ、スライド操作時において一対のカバー部１Ａ，１Ｂを手指で掴む圧力を横方向に逃がすことができ、これによってスライド操作性を向上させることができる。
【００２２】
本考案に係る請求項３の考案は、支持嵌合部５は、一方のカバー部１Ａに形成されたネジ穴部６と、このネジ穴部６に対向すべく他方のカバー部１Ｂに穿設された挿入孔部７と、挿入孔部７を通してネジ穴部６にねじ込むためのネジ部材８を備えてなることで、同じく、上述した課題を解決した。
【００２３】
この請求項３に係るスライドファスナ用引手補助具によれば、一対のカバー部１Ａ，１Ｂは、引手Ｐの貫通孔Ｈ側への取付け位置と、引手Ｐの貫通孔Ｈ以外の外側位置での一箇所におけるネジ部材８によるねじ込み構造の支持嵌合部５とにより、二点支持となって接続固定されることから、引手Ｐへの一対のカバー部１Ａ，１Ｂの取付け後にはスライド操作における過度な引張力で貫通孔から脱去されてしまう事態の発生を確実に防止できる。
【００２４】
本考案に係る請求項４の考案は、支持嵌合部５は、一方のカバー部１Ａに形成された一対の嵌合穴部９Ａ，９Ｂに、これら一対の嵌合穴部９Ａ，９Ｂに対向すべく他方のカバー部１Ｂに立設された一対の嵌合突起１０Ａ，１０Ｂを嵌合可能にしてなることで、同じく、上述した課題を解決した。
【００２５】
この請求項４に係るスライドファスナ用引手補助具によれば、一対のカバー部１Ａ，１Ｂは、引手Ｐの貫通孔Ｈ側への取付け位置と、引手Ｐの貫通孔Ｈ以外の外側位置での二箇所における嵌合構造による支持嵌合部５とにより、三点支持となって接続固定されることから、引手Ｐへの一対のカバー部１Ａ，１Ｂの取付け後にはスライド操作における過度な引張力で貫通孔から脱去されてしまう事態の発生を確実に防止できる。
【００２６】
本考案に係る請求項５の考案は、一対の嵌合突起１０Ａ，１０Ｂの間には、マグネット１１を付設し、一対の嵌合穴部９Ａ，９Ｂの間には、マグネット１１を磁着させるための金属片１２を付設してなることで、同じく、上述した課題を解決した。
【００２７】
この請求項５に係るスライドファスナ用引手補助具によれば、一対のカバー部１Ａ，１Ｂは、引手Ｐの貫通孔Ｈ側への取付け位置と、引手Ｐの貫通孔Ｈ以外の外側位置での二箇所における嵌合構造による支持嵌合部５と、支持嵌合部５相互間のマグネット１１による磁着接合とにより、四点支持となって接続固定されることから、引手Ｐへの一対のカバー部１Ａ，１Ｂの取付け後にはスライド操作における過度な引張力で貫通孔から脱去されてしまう事態の発生を確実に防止できる。
【００２８】
本考案に係る請求項６の考案は、支持嵌合部５は、一方のカバー部１Ａに穿設されたパッチン止め用の段差状嵌合穴部１３に、嵌合穴部１３に対向すべく他方のカバー部１Ｂに立設されたパッチン止め用の半割嵌合突起１４Ａ，１４Ｂを嵌合可能にしてなることで、同じく、上述した課題を解決した。
【００２９】
この請求項６に係るスライドファスナ用引手補助具によれば、一対のカバー部１Ａ，１Ｂは、引手Ｐの貫通孔Ｈ側への取付け位置と、引手Ｐの貫通孔Ｈ以外の外側位置での一箇所におけるパッチン止め構造の支持嵌合部５とにより、二点支持となって接続固定されることから、引手Ｐへの一対のカバー部１Ａ，１Ｂの取付け後にはスライド操作における過度な引張力で貫通孔から脱去されてしまう事態の発生を確実に防止できる。
【００３０】
本考案に係る請求項７の考案は、一対のカバー部１Ａ，１Ｂは、引手Ｐよりも広幅な円板状に形成されてなることで、同じく、上述した課題を解決した。
【００３１】
この請求項７に係るスライドファスナ用引手補助具によれば、障害者や加齢等により、指先が不自由であったり、握力や掴む力が弱かったり、或いは、手袋を着用して指先の器用さが損なわれていたりしても、一対のカバー部１Ａ，１Ｂを容易に掴むことができることから、スライドファスナＦの開閉操作がスムーズに行える。
【００３２】
本考案に係る請求項８の考案は、一対のカバー部１Ａ，１Ｂは、引手Ｐよりも広幅な長円板状に形成され、それらの外方端部には、略半月開口状の取っ手部１５Ａ，１５Ｂが各形成されてなることで、同じく、上述した課題を解決した。
【００３３】
この請求項８に係るスライドファスナ用引手補助具によれば、一対のカバー部１Ａ，１Ｂの取っ手部１５Ａ，１５Ｂを手指で把持することで、スライドファスナＦの開閉操作をスムーズに行うことができる。
【００３４】
本考案に係る請求項９の考案は、一対のカバー部１Ａ，１Ｂは、引手Ｐよりも広幅な円板状に形成され、その外方端部には、略Ｕ字形アーム状の引っ張り部１６を取付けてなることで、同じく、上述した課題を解決した。
【００３５】
この請求項９に係るスライドファスナ用引手補助具によれば、一対のカバー部１Ａ，１Ｂの引っ張り部１６を手指で引っ張ることで、スライドファスナＦの開閉操作をスムーズに行うことができる。
【００３６】
本考案に係る請求項１０の考案は、一対のカバー部１Ａ，１Ｂは、前記貫通孔Ｈを介して表と裏から挟み込むようにして装着された際には、引手Ｐに対し所定のキャラクター形状となって取付けられるものとしたことで、同じく、上述した課題を解決した。
【００３７】
この請求項１０に係るスライドファスナ用引手補助具によれば、引手補助具自体を手指で掴み易い立体的構成とすることができ、しかも装飾的効果を一層高めたものとすることができる。
【００３８】
本考案に係る請求項１１の考案は、引手Ｐの貫通孔Ｈが前記係合突起４よりも大きいときに、貫通孔Ｈと係合突起４との間に配置されるよう貫通孔Ｈの孔幅に対応した外径を有する所定の補助リング１７を備えたことで、同じく、上述した課題を解決した。
【００３９】
この請求項１１に係るスライドファスナ用引手補助具によれば、手指で引っ張るときの係合突起４に掛かる応力が補助リング１７によって分散されることで、細径の係合突起４であってもこれの折損を未然に防止することができ、しかも引手Ｐの貫通孔Ｈにおける不要なガタツキを防止することができる。
【考案の効果】
【００４０】
本考案に係るスライドファスナ用引手補助具により、形状や大きさ等に制限を設けなくてもスライドファスナＦのスライダＳに取付けられている引手Ｐに設けられた貫通孔Ｈを介して表と裏から挟み込むようにして揺動自在となって取付けることができると同時に、取付け後にはスライド操作における過度な引張力で貫通孔Ｈから脱去されてしまう事態の発生を確実に防止でき、また、取付け後のスライド操作時において手指で掴む圧力を横方向に逃がすことでスライド操作性を向上させることができる。
【００４１】
さらに、本考案によれば、一対のカバー部１Ａ，１Ｂには、引手Ｐの貫通孔Ｈ以外の外側位置でカバー部１Ａ，１Ｂ同士を接続固定させるための支持嵌合部５を一箇所もしくは二箇所以上設けてなるので、一対のカバー部１Ａ，１Ｂの形状や大きさ等に制限を設けなくて済む。
【図面の簡単な説明】
【００４２】
【図１】本考案の第１実施形態における引手補助具の使用状態の概略を示す斜視図である。
【図２】図２中、（ａ）は引手補助具の使用状態を示す平面図、（ｂ）は同じく側面図である。
【図３】斜め上方から視た状態の分解斜視図である。
【図４】斜め下方から視た状態の分解斜視図である。
【図５】図２中、Ｘ−Ｘ断面図である。
【図６】ファスナを開閉するための引手付のスライダを示すもので（ａ）は平面図、（ｂ）は側面図である。
【図７】引手補助具の変形例における使用状態の概略を示す斜視図である。
【図８】引手補助具の変形例における斜め上方から視た状態の分解斜視図である。
【図９】引手補助具の他の変形例における使用状態の概略を示す斜視図である。
【図１０】引手補助具の他の変形例における斜め上方から視た状態の分解斜視図である。
【図１１】図１１中、（ａ）は引手補助具の他の変形例における一部を平断面で示す平面図、（ｂ）は引手補助具の他の変形例における側面図である。
【図１２】図１２中、（ａ）は引手補助具の他の変形例において引っ張り部を上方に揺動させた状態の側面図、（ｂ）は同じく斜め上方から視た状態の斜視図である。
【図１３】本考案の第２実施形態における引手補助具の使用状態の概略を斜め上方から視た状態の分解斜視図である。
【図１４】本考案の第２実施形態における引手補助具の使用状態の概略を斜め下方から視た状態の分解斜視図である。
【図１５】本考案の第３実施形態における引手補助具の使用状態の概略を斜め上方から視た状態の斜視図である。
【図１６】本考案の第２実施形態における引手補助具を斜め上方から視た状態の分解斜視図である。
【図１７】本考案の第２実施形態における引手補助具を示すもので、（ａ）は分解状態の縦断面図、（ｂ）は組立状態の縦断面図である。
【図１８】本考案の第４実施形態における引手補助具の使用状態の概略を斜め前方から視た状態の斜視図である。
【図１９】本考案の第４実施形態における引手補助具を斜め前方から視た状態の分解斜視図である。
【図２０】本考案の第５実施形態における引手補助具を斜め上方から視た状態の分解斜視図である。
【考案を実施するための形態】
【００４３】
以下に、図面を参照して、本考案の一実施の形態について説明する。
【００４４】
＜第１実施形態＞
本考案に係るスライドファスナ用引手補助具の第１実施形態について、図１乃至図６に基づき説明する。
【００４５】
本来、スライドファスナＦは、図６に示すように、スライダＳに取付けられた小さい板片状の引手Ｐを手指で引っ張ってスライダＳをスライドファスナＦに沿って移動させることで開閉されるものとなっている。
【００４６】
本実施形態では、この引手Ｐに、当該引手Ｐよりも広幅な円板状に形成された本考案に係るスライドファスナ用引手補助具を構成する一対のカバー部１Ａ，１Ｂを取付けることによって、スライド操作性を向上させている。
【００４７】
本実施形態においては、図１乃至図５に示すように、引手Ｐに設けられた貫通孔Ｈを介して表と裏から挟み込むように揺動自在となって取付けられる一対のカバー部１Ａ，１Ｂを備えている。
【００４８】
すなわち、一方（図示においては上方）のカバー部１Ａの平面内の略半円分が引手Ｐの厚み幅分に対応した深さの段差平面部２が形成され、段差平面部２の略中央には引手Ｐの貫通孔Ｈに対向させるための係合孔部３が形成されている。また、他方（図示においては下方）のカバー部１Ｂの平面内には、一方のカバー部１Ａの係合孔部３に遊挿させるための円柱状の係合突起４が立設されている。
【００４９】
さらに、一対のカバー部１Ａ，１Ｂには、引手Ｐの貫通孔Ｈ以外の外側位置、すなわち両カバー部１Ａ，１Ｂの各外側半円部分同士を接続固定させるために、一方のカバー部１Ａに形成されたネジ穴部６と、このネジ穴部６に対向すべく他方のカバー部１Ｂに穿設された挿入孔部７と、挿入孔部７を通してネジ穴部６にねじ込むためのネジ部材８を備えてなる支持嵌合部５を、前記引手Ｐの貫通孔Ｈ位置に対向して一箇所だけ設けている。
【００５０】
尚、一対のカバー部１Ａ，１Ｂは円板状に形成されているが、これ以外の形状であっても良い。例えば、長円形・楕円形・矩形・多角形にする等、引手Ｐの貫通孔Ｈを介して互いに接続可能な形状であれば、どのような形状であっても差し支えない。
【００５１】
以下に、本考案に係るスライドファスナ用引手補助具の取付け方法を、詳細に説明する。
【００５２】
先ず、図３及び図４に示すように、引手Ｐの貫通孔Ｈの下側に他方のカバー部１Ｂをあてがって、係合突起４を貫通孔Ｈに挿通させておく。次に、引手Ｐの貫通孔Ｈの上側に一方のカバー部１Ａの段差平面部２をあてがって、係合孔部３に、貫通孔Ｈから上方に突出した係合突起４を嵌挿させる。
【００５３】
これにより、両カバー部１Ａ，１Ｂは、貫通孔Ｈに対して左右方向に揺動自在となって、貫通孔Ｈを介して表と裏から挟み込むように取付けられる。そして、支持嵌合部５において、他方のカバー部１Ｂの挿入孔部７からネジ部材８を挿入して一方のカバー部１Ａのネジ穴部６にねじ込むことで、両カバー部１Ａ，１Ｂは接合固定される。
【００５４】
＜第１変形例＞
次に、第１実施形態の第１変形例について、図７及び図８に基づき説明する。なお、以下の各変形例において、上記第１実施形態と同じ構成部分には同じ符号を付すのみで、その詳細な説明を省略する。
【００５５】
本変形例においては、一対のカバー部１Ａ，１Ｂは、引手Ｐよりも広幅な長円板状に形成されている。そして、それらの外方端部には、略半月開口状の取っ手部１５Ａ，１５Ｂが各形成されている。なお、貫通孔Ｈを介しての係合孔部３と係合突起４との係合は第１実施形態と同様である。本変形例においても上記した第１実施形態と同様な作用効果を有する。
【００５６】
＜第２変形例＞
次に、第１実施形態の第２変形例について、図９乃至図１２に基づき説明する。
【００５７】
本変形例においては、一対のカバー部１Ａ，１Ｂは、上記第１実施形態と同様に、引手Ｐよりも広幅な円板状に形成されており、その外方端部には、略Ｕ字形アーム状の引っ張り部１６を取付けている。
【００５８】
すなわち、図１０に示すように、両カバー部１Ａ，１Ｂの略半円部分の径幅が小さくなっており、その左右両端部は平坦となってその中央に取付穴１６Ｂが各形成されている。
【００５９】
また、略Ｕ字形アーム状の引っ張り部１６は、その両端部内側に突起１６Ａが各形成されており、両突起１６Ａは取付穴１６Ｂに各挿着される。これにより、図１２に示すように、引っ張り部１６は一対のカバー部１Ａ，１Ｂに対して上下に揺動自在となって取付けられる。なお、貫通孔Ｈを介しての係合孔部３と係合突起４との係合は第１実施形態と同様である。本変形例においても上記した第１実施形態と同様な作用効果を有する。
【００６０】
＜第２実施形態＞
次に、本考案の第２実施形態について、図１３及び図１４に基づき説明する。なお、本実施形態において、上記第１実施形態と同じ構成部分には同じ符号を付すのみでその詳細な説明を省略する。
【００６１】
本実施形態においては、支持嵌合部５は、一方のカバー部１Ａに形成された円形状の一対の嵌合穴部９Ａ，９Ｂと、これら一対の嵌合穴部９Ａ，９Ｂに対向すべく他方のカバー部１Ｂに立設された円柱状の一対の嵌合突起１０Ａ，１０Ｂと、によって構成されている。
【００６２】
また、他方のカバー部１Ｂの一対の嵌合突起１０Ａ，１０Ｂの間には、略矩形板状のマグネット１１が埋設状に付設されており、これに対向して、一方のカバー部１Ａの一対の嵌合穴部９Ａ，９Ｂの間には、マグネット１１を磁着させるための円柱状の金属片１２が埋設状に付設されている。
【００６３】
両カバー部１Ａ，１Ｂの取付けに際し、一対の嵌合穴部９Ａ，９Ｂに一対の嵌合突起１０Ａ，１０Ｂが各嵌合すると同時に金属片１２とマグネット１１とが磁着されることで、両カバー部１Ａ，１Ｂ同士の接合を強固なものとしている。
【００６４】
尚、貫通孔Ｈを介しての係合孔部３と係合突起４との係合は第１実施形態と同様である。本変形例においても上記した第１実施形態と同様な作用効果を有する。
【００６５】
＜第３実施形態＞
次に、本考案の第３実施形態について、図１５乃至図１７に基づき説明する。なお、本実施形態において、上記第１実施形態と同じ構成部分には同じ符号を付すのみでその詳細な説明を省略する。
【００６６】
本実施形態においては、支持嵌合部５は、一方のカバー部１Ａに穿設されたパッチン止め用の段差状嵌合穴部１３と、段差状嵌合穴部１３に対向すべく他方のカバー部１Ｂに立設されたパッチン止め用の半割嵌合突起１４Ａ，１４Ｂとから構成されている。
【００６７】
両カバー部１Ａ，１Ｂの取付けに際し、図１６及び図１７に示すように、他方のカバー部１Ｂの半割嵌合突起１４Ａ，１４Ｂを、一方のカバー部１Ａの段差状嵌合穴部１３に嵌めてパッチン止めすることで、両カバー部１Ａ，１Ｂ同士の接合を強固なものとしている。
【００６８】
尚、貫通孔Ｈを介しての係合孔部３と係合突起４との係合は第１実施形態と同様である。本変形例においても上記した第１実施形態と同様な作用効果を有する。
【００６９】
＜第４実施形態＞
次に、本考案の第４実施形態について、図１８及び図１９に基づき説明する。なお、本実施形態において、上記第１実施形態と同じ構成部分には同じ符号を付すのみでその詳細な説明を省略する。
【００７０】
本実施例においては、一対のカバー部１Ａ，１Ｂは、縦方向に開閉するスライドファスナＦのスライダＳに取付けられた引手Ｐの貫通孔Ｈを介して表と裏から挟み込むようにして装着されることにより、引手Ｐに対し所定のキャラクター形状となって取付けられるものとしてある。
【００７１】
例えば、図１８及び図１９に示すように、一対のカバー部１Ａ，１Ｂを、小熊を象ったキャラクターとした場合、一方（前側）のカバー部１Ａは小熊キャラクターの「顔の前半・肩・胴・両手・両足」を含む前身側一部を構成し、他方（後側）のカバー部１Ｂは小熊キャラクターの「両耳を有する顔の後半・肩及び背中の一部」を含む後身側一部を構成する。
【００７２】
そして、一方（前側）のカバー部１Ａの小熊の顔の後部には、引手Ｐの厚み幅分に対応した深さの段差平面部２が形成され、段差平面部２の略中央には引手Ｐの貫通孔Ｈに対向させるための係合孔部３が形成されている。また、他方（後側）のカバー部１Ｂの平面内には、貫通孔Ｈを通って一方のカバー部１Ａの係合孔部３に遊挿させるための円柱状の係合突起４が立設されている。
【００７３】
さらに、一対のカバー部１Ａ，１Ｂには、引手Ｐの貫通孔Ｈ以外の外側位置、すなわち両カバー部１Ａ，１Ｂ同士（前身側一部と後身側一部）を接続固定させるために、一方のカバー部１Ａに形成されたネジ穴部６と、このネジ穴部６に対向すべく他方のカバー部１Ｂに穿設された挿入孔部７と、挿入孔部７を通してネジ穴部６にねじ込むためのネジ部材８を備えてなる支持嵌合部５を、前記引手Ｐの貫通孔Ｈ位置に対向して一箇所だけ設けている。
【００７４】
尚、貫通孔Ｈを介しての係合孔部３と係合突起４との係合、及び支持嵌合部５における両カバー部１Ａ，１Ｂの接合固定は第１実施形態と同様である。本変形例においても上記した第１実施形態と同様な作用効果を有する。
【００７５】
＜第５実施形態＞
次に、本考案の第５実施形態について、図２０に基づき説明する。なお、本実施形態において、上記第１実施形態と同じ構成部分には同じ符号を付すのみでその詳細な説明を省略する。
【００７６】
本実施形態では、引手Ｐの貫通孔Ｈの孔幅が前記係合突起４の外径よりも大きい場合には、貫通孔Ｈの孔幅に対応した外径を有し且つ引手Ｐの厚さに対応した縦幅を有する所定の補助リング１７を貫通孔Ｈと係合突起４との間に介在配置させることで、引き手Ｐに対する過度なガタツキを防止できるものとしてある。本変形例においても上記した第１実施形態と同様な作用効果を有する。
【００７７】
また、以上既に述べた以外にも、上記各実施形態や各変形例による手法を適宜組み合わせて利用しても良い。
【００７８】
その他、一々例示はしないが、本考案は、その趣旨を逸脱しない範囲内において、種々の変更が加えられて実施されるものである。
【産業上の利用可能性】
【００７９】
本考案は、衣服や鞄等のスライドファスナ用引手補助具として使用する以外に、例えば財布・ポシェット・皮革ケース等のスライドファスナを開閉するためのスライダに取付けられた引手の補助具として等、種々のスライドファスナ用引手において、幅広く利用されるものである。
【符号の説明】
【００８０】
Ｐ…引手
Ｓ…スライダ
Ｆ…スライドファスナ
Ｈ…貫通孔
１Ａ，１Ｂ…カバー部
２…段差平面部
３…係合孔部
４…係合突起
５…支持嵌合部
６…ネジ穴部
７…挿入孔部
８…ネジ部材
９Ａ，９Ｂ…嵌合穴部
１０Ａ，１０Ｂ…嵌合突起
１１…マグネット
１２…金属片
１３…段差状嵌合穴部
１４Ａ，１４Ｂ…半割嵌合突起
１５Ａ，１５Ｂ…取っ手部
１６…引っ張り部
１６Ａ…突起
１６Ｂ…取付穴
１７…補助リング
【図１】
0003208954.tif 000003
【図２】
0003208954.tif 000004
【図３】
0003208954.tif 000005
【図４】
0003208954.tif 000006
【図５】
0003208954.tif 000007
【図６】
0003208954.tif 000008
【図７】
0003208954.tif 000009
【図８】
0003208954.tif 000010
【図９】
0003208954.tif 000011
【図１０】
0003208954.tif 000012
【図１１】
0003208954.tif 000013
【図１２】
0003208954.tif 000014
【図１３】
0003208954.tif 000015
【図１４】
0003208954.tif 000016
【図１５】
0003208954.tif 000017
【図１６】
0003208954.tif 000018
【図１７】
0003208954.tif 000019
【図１８】
0003208954.tif 000020
【図１９】
0003208954.tif 000021
【図２０】
0003208954.tif 000022
【手続補正書】
【提出日】平成28年12月4日(2016.12.4)
【手続補正１】
【補正対象書類名】実用新案登録請求の範囲
【補正対象項目名】全文
【補正方法】変更
【補正の内容】
【実用新案登録請求の範囲】
【請求項１】
スライドファスナのスライダに取付けられている引手に設けられた貫通孔を介して表と裏から挟み込むように取付けられる一対のカバー部を備えてなるスライドファスナ用引手補助具であって、一対のカバー部には、引手の貫通孔以外の外側位置でカバー部同士を接続固定させるための支持嵌合部を一箇所もしくは二箇所以上設けてなることを特徴とするスライドファスナ用引手補助具。
【請求項２】
一対のカバー部は、引手の貫通孔を介して表と裏から挟み込むよう一方のカバー部に、引手の厚み幅分に対応した深さの段差平面部と、引手の貫通孔に対向させるための段差平面部の略中央に突設された係合孔部とを備え、他方のカバー部に、一方のカバー部の係合孔部に遊挿させるための係合突起を備えてなる請求項１に記載のスライドファスナ用引手補助具。
【請求項３】
支持嵌合部は、一方のカバー部に形成されたネジ穴部と、このネジ穴部に対向すべく他方のカバー部に穿設された挿入孔部と、挿入孔部を通してネジ穴部にねじ込むためのネジ部材を備えてなる請求項１または２に記載のスライドファスナ用引手補助具。
【請求項４】
支持嵌合部は、一方のカバー部に形成された一対の嵌合穴部に、これら一対の嵌合穴部に対向すべく他方のカバー部に立設された一対の嵌合突起を嵌合可能にしてなる請求項１または２に記載のスライドファスナ用引手補助具。
【請求項５】
一対の嵌合突起の間には、マグネットを付設し、一対の嵌合穴部の間には、マグネットを磁着させるための金属片を付設してなる請求項４に記載のスライドファスナ用引手補助具。
【請求項６】
支持嵌合部は、一方のカバー部に穿設されたパッチン止め用の段差状嵌合穴部に、嵌合穴部に対向すべく他方のカバー部に立設されたパッチン止め用の半割嵌合突起を嵌合可能にしてなる請求項１または２に記載のスライドファスナ用引手補助具。
【請求項７】
一対のカバー部は、引手よりも広幅な円板状に形成されてなる請求項１乃至５のいずれかに記載のスライドファスナ用引手補助具。
【請求項８】
一対のカバー部は、引手よりも広幅な長円板状に形成され、それらの外方端部には、略半月開口状の取っ手部が各形成されてなる請求項１乃至６のいずれかに記載のスライドファスナ用引手補助具。
【請求項９】
一対のカバー部は、引手よりも広幅な円板状に形成され、その外方端部には、略Ｕ字形アーム状の引っ張り部を取付けてなる請求項１乃至６のいずれかに記載のスライドファスナ用引手補助具。
【請求項１０】
一対のカバー部は、前記貫通孔を介して表と裏から挟み込むようにして装着された際には、引手に対し所定のキャラクター形状となって取付けられるものとした請求項１乃至９のいずれかに記載のスライドファスナ用引手補助具。
【請求項１１】
引手の貫通孔が前記係合突起よりも大きいときに、貫通孔と係合突起との間に配置されるよう貫通孔の孔幅に対応した外径を有する所定の補助リングを備えた請求項２に記載のスライドファスナ用引手補助具。